(57)【特許請求の範囲】
【請求項１】
バックライトモジュールと、
電圧生成ユニットと、
バックライト制御ユニットと、
バックライト駆動チップと、からなるバックライトユニットであって、
前記バックライトモジュールは、発光させるのに用いられるバックライトからなり、
前記電圧生成ユニットは、前記バックライトモジュールに駆動電圧を提供するのに用いられ、
前記バックライト制御ユニットは、ＭＣＵチップからなり、
前記ＭＣＵチップは、フレーム周波数信号を受信して現時点での前記フレーム周波数信号の立ち上がりを捉え、現時点での前記フレーム周波数信号の周期を確定させ、さらに、現時点での前記フレーム周波数信号の周期に基づいて、一つの周期制御信号を発生させ、このとき、前記周期制御信号の周期と、現時点でのフレーム周波数信号の周期は同じであり、
前記バックライト駆動チップは、前記周期制御信号及び予め設定したデューティ比Ｄに基づき、一つのパルス幅調整ＰＷＭ信号を生じさせ、
前記ＰＷＭ信号は、前記周期制御信号と同じ周期であり、且つ各一周期内において、前記ＰＷＭ信号のデューティ比は、いずれもＤであり、
前記ＰＷＭ信号は、前記電圧生成ユニットが前記バックライトモジュールに駆動電圧を提供または提供停止するのを制御するのに用いられる
ことを特徴とするバックライトユニット。
【請求項２】
請求項１に記載のバックライトユニットにおいて、
前記バックライトモジュールは、さらに、重ねて設けられた反射鏡と、導光体と、光学フィルムセットと、を備え、
前記バックライト及び前記導光体は、向かい合わせて設けられ、
前記バックライトが発する光は、前記導光体内にまで送信される
ことを特徴とするバックライトユニット。
【請求項３】
請求項１または請求項２に記載のバックライトユニットにおいて、
前記バックライトは、複数のＬＥＤライトからなるＬＥＤストリップを備える
ことを特徴とするバックライトユニット。
【請求項４】
バックライトを備えたバックライトモジュールと、
前記バックライトモジュールに駆動電圧を提供する電圧生成ユニットと、
ＭＣＵチップを有するバックライト制御ユニットと、
バックライト駆動チップと、からなるバックライトユニットの駆動方法であって、
前記バックライト制御ユニットの前記ＭＣＵチップが、フレーム周波数信号を受信して現時点での前記フレーム周波数信号の立ち上がりを捉え、
現時点での前記フレーム周波数信号の周期を確定させ、
さらに、現時点での前記フレーム周波数信号の周期に基づいて、一つの周期制御信号を発生させ、このとき、前記周期制御信号の周期と、現時点でのフレーム周波数信号の周期は同じであり、
バックライト駆動チップが、前記周期制御信号及び予め設定したデューティ比Ｄに基づいて、一つのパルス幅調整ＰＷＭ信号を発生させ、このとき、前記ＰＷＭ信号は、前記周期制御信号と同じ周期であり、且つ各一周期内において、前記ＰＷＭ信号のデューティ比はいずれもＤであり、
前記ＰＷＭ信号に基づいて前記電圧生成ユニットが前記バックライトモジュールに駆動電圧を提供または提供停止する
ことを特徴とするバックライトユニットの駆動方法。
【請求項５】
請求項４に記載のバックライトユニットの駆動方法において、
前記バックライトモジュールは、さらに、重ねて設けられた反射鏡と、導光体と、光学フィルムセットと、を備え、
前記バックライト及び前記導光体は、向かい合わせて設けられ、
前記バックライトが発する光は、前記導光体内にまで送信される
ことを特徴とするバックライトユニットの駆動方法。
【請求項６】
請求項４または請求項５に記載のバックライトユニットの駆動方法において、
前記バックライトは、複数のＬＥＤライトからなるＬＥＤストリップを備える
ことを特徴とするバックライトユニットの駆動方法。
【請求項７】
複数の画素ユニットからなる液晶パネルと、
ソース駆動装置と、
ゲート駆動装置と、
バックライトユニットと、
タイミング制御装置と、からなる液晶表示装置であって、
前記ソース駆動装置は、前記画素ユニットにデータ信号を提供するのに用いられ、
前記ゲート駆動装置は、前記画素ユニットに走査信号を提供するのに用いられ、
前記バックライトユニットは、前記液晶パネルに表示バックライトを提供するのに用いられ、
前記タイミング制御装置は、図像データを受信するとともに、前記ソース駆動装置及びゲート駆動装置を制御する制御信号を発生させるのに用いられ、
前記タイミング制御装置は、さらに、フレーム周波数信号を発生させ、前記バックライトユニット内のバックライト制御ユニットに送信し、
前記バックライトユニットは、
バックライトモジュールと、
電圧生成ユニットと、
バックライト制御ユニットと、
バックライト駆動チップと、からなり、
前記バックライトモジュールは、発光させるのに用いられるバックライトからなり、
前記電圧生成ユニットは、前記バックライトモジュールに駆動電圧を提供するのに用いられ、
前記バックライト制御ユニットは、ＭＣＵチップからなり、
前記ＭＣＵチップは、フレーム周波数信号を受信して現時点での前記フレーム周波数信号の立ち上がりを捉え、現時点での前記フレーム周波数信号の周期を確定させ、さらに、現時点での前記フレーム周波数信号の周期に基づいて、一つの周期制御信号を発生させ、このとき、前記周期制御信号の周期と、現時点でのフレーム周波数信号の周期は同じであり、
前記バックライト駆動チップは、前記周期制御信号及び予め設定したデューティ比Ｄに基づき、一つのパルス幅調整ＰＷＭ信号を生じさせ、
前記ＰＷＭ信号は、前記周期制御信号と同じ周期であり、且つ各一周期内において、前記ＰＷＭ信号のデューティ比は、いずれもＤであり、
前記ＰＷＭ信号は、前記電圧生成ユニットが前記バックライトモジュールに駆動電圧を提供または提供停止するのを制御するのに用いられる
ことを特徴とする液晶表示装置。
【請求項８】
請求項７に記載の液晶表示装置において、
前記バックライトモジュールは、さらに、重ねて設けられた反射鏡と、導光体と、光学フィルムセットと、を備え、
前記バックライト及び前記導光体は、向かい合わせて設けられ、
バックライトが発する光は、前記導光体内にまで送信される
ことを特徴とする液晶表示装置。
【請求項９】
請求項７または請求項８に記載の液晶表示装置において、
前記バックライトは、複数のＬＥＤライトからなるＬＥＤストリップを備える
ことを特徴とする液晶表示装置。
【発明の詳細な説明】
【技術分野】
【０００１】
本発明は、液晶表示装置技術領域に関し、特にバックライトユニット及びその駆動方法と、前記バックライトユニットを備える液晶表示装置に関する。
【背景技術】
【０００２】
液晶表示装置（Ｌｉｑｕｉｄ Ｃｒｙｓｔａｌ Ｄｉｓｐｌａｙ、ＬＣＤ）は、平面で超薄型のパネル装置であり、一定数のカラーまたはモノクロ画素によってなり、バックライトまたは反射面の前方に配置される。液晶表示装置は、消費電力が低く、且つ高画質であるうえ、体積も小さく、重量も軽いという長所があり、それゆえいっそう人気となっており、表示装置の主流となっている。液晶表示装置は、一般的に液晶パネルと、バックライトユニットと、からなり、液晶パネル及びバックライトユニットは向かい合わせて設置され、バックライトユニットによって、液晶パネルに表示バックライトを提供し、液晶パネルに映像を表示させる。
【０００３】
現存する液晶表示装置の中には、フレーム周波数信号（Ｖｓｙｎｃ）と同期する駆動信号によってバックライトユニットを駆動させる方法を採用しているものが多い。図１の駆動信号の波形図が示すように、フレーム周波数信号（Ｖｓｙｎｃ）の周波数は１００ Hｚであり、周期は１０ ｍｓである時を例とすると、バックライトユニットの駆動信号ＰＷＭが前記フレーム周波数信号に同期してから、各一フレーム画面内において、バックライトユニットがオンの時間ｏｎのデューティ比（Ｄｕｔｙ）が同じである。バックライトユニットがオンの時間のデューティ比を最適化することによって、液晶パネルの輝度を制御し、表示品質の向上及び省エネを達成することができる。
【０００４】
以上の制御方式は、フレーム周波数信号の周波数に基づいて、変化が生じない状況で、予め一定のデューティ比を設定する。しかし、特殊な状況下で、例えば、チャンネルを切り替え、２Ｄ／３Ｄモードを切り替えるまたは信号源を切り替える時、フレーム周波数信号の周波数に変化が生じる。例えば、図２が示す駆動信号の波形図では、フレーム周波数信号が第１フレームＦ１である時には正常な状態であり、その周波数は１００ Hｚであり、周期は１０ ｍｓである。第２フレームＦ２である時には変化が生じ、その周波数は１３７ Hｚであり、周期は７．３ ｍｓである。第３フレームＦ３の周波数は１１６ Hｚであり、周期は８．６ ｍｓである。第４、５フレームＦ４及びＦ５の周波数は１３７ Hｚであり、周期は７．３ ｍｓである。第６、７フレームＦ６及びＦ７の時は正常な状態に戻り、その周波数は１００ Hｚであり、周期は１０ ｍｓである。Ｆ２が開始する時、バックライトユニットがオンになり、バックライトユニットの駆動信号ＰＷＭを設定した時は、フレーム周波数信号に変化が生じることを想定していないので、駆動信号ＰＷＭの一つの周期は、Ｆ３が開始した後まで持続する。Ｆ２については、前記バックライトユニットにオーバーフロー（Ｏｖｅｒｆｌｏｗ）が生じ、Ｆ３については、バックライトユニットが提供するバックライトが不足する。同じ状況は、Ｆ４及びＦ５の間にも生じ、Ｆ６及びＦ７になってやっと正常に戻る。上記のように、既存のバックライトユニット駆動信号及びフレーム周波数信号を同期する方式では、フレーム周波数信号に突然変化が生じた時、対応するフレームの画面内において、バックライトユニットがオンになっている時間のデューティ比と、予め設定したデューティ比が一致せず、液晶パネルの表示品質に影響する。
【発明の概要】
【発明が解決しようとする課題】
【０００５】
従来の技術の限界に鑑みて、本発明は、前記バックライトユニットの駆動信号及びフレーム周波数信号、及びフレーム周波数信号に突然の変化が生じた時、バックライトユニットの駆動信号も対応して変化が生じ、それに対応したフレームの画面内において、バックライトユニットがオンの時間のデューティ比と、予め設定したデューティ比を一致させることで、液晶パネルの表示品質を保証することができるバックライトユニット及びその駆動方法を提供することを目的とする。
【課題を解決するための手段】
【０００６】
上記の目的を達成するため、本発明は以下の技術考案を採用する。
【０００７】
バックライトユニットは、バックライトモジュールと、電圧生成ユニットと、バックライト制御ユニットと、バックライト駆動チップと、からなる。
【０００８】
その内、バックライトモジュールは、発光させるのに用いられるバックライトからなる。
【０００９】
その内、電圧生成ユニットは、前記バックライトモジュールに駆動電圧を提供するのに用いられる。
【００１０】
その内、バックライト制御ユニットは、フレーム周波数信号を受信するとともに、前記フレーム周波数信号に基づいて、一つの周期制御信号を発生させる。なお、前記周期制御信号は、前記フレーム周波数信号と同じ周期である。
【００１１】
その内、バックライト駆動チップは、前記周期制御信号及び予め設定したデューティ比Ｄに基づき、一つのパルス幅調整ＰＷＭ信号を生じさせる。前記ＰＷＭ信号は、前記周期制御信号と同じ周期であり、且つ各一周期内において、前記ＰＷＭ信号のデューティ比は、いずれもＤであり、前記ＰＷＭ信号は、前記電圧生成ユニットが前記バックライトモジュールに駆動電圧を提供または提供停止するのを制御するのに用いられる。
【００１２】
その内、前記バックライト制御ユニットは、ＭＣＵチップからなり、前記ＭＣＵチップによって、フレーム周波数信号を受信するとともに、前記周期制御信号を発生させる。
【００１３】
その内、前記ＭＣＵチップは、現時点でのフレーム周波数信号の立ち上がりを捉え、現時点でのフレーム周波数信号の周期を確定させるとともに、現時点でのフレーム周波数信号の周期に基づいて、一つのリアルタイム周期制御信号を発生させる。なお、前記リアルタイム周期制御信号の周期と、現時点でのフレーム周波数信号の周期は同じである。
【００１４】
その内、前記バックライトモジュールは、さらに、重ねて設けられた反射鏡と、導光体と、光学フィルムセットと、を備え、前記バックライト及び前記導光体は、向かい合わせて設けられ、バックライトが発する光は、前記導光体内にまで送信される。
【００１５】
その内、前記バックライトは、複数のＬＥＤライトからなるＬＥＤストリップを備える。
【００１６】
本発明は、さらに、バックライトユニットの駆動方法を提供する。前記バックライトユニットは、バックライトを備えたバックライトモジュールと、前記バックライトモジュールに駆動電圧を提供する電圧生成ユニットと、からなる。その内、前記駆動方法は以下の手順からなる。
【００１７】
バックライト制御ユニットによって、フレームの周波数信号を受信するとともに、前記フレームの周波数信号に基づいて、一つの周期制御信号を発生させる。前記周期制御信号は、前記フレーム周波数信号と同じ周期である。
【００１８】
バックライト駆動チップによって、前記周期制御信号及び予め設定したデューティ比Ｄに基づいて、一つのパルス幅調整ＰＷＭ信号を発生させる。前記ＰＷＭ信号は、前記周期制御信号と同じ周期であり、且つ各一周期内において、前記ＰＷＭ信号のデューティ比はいずれもＤであり、前記ＰＷＭ信号は、前記電圧生成ユニットが、前記バックライトモジュールに駆動電圧を提供または提供停止するのを、制御するのに用いられる。
【００１９】
その内、前記バックライト制御ユニットは、ＭＣＵチップからなり、前記ＭＣＵチップによってフレーム周波数信号を受信するとともに、前記周期制御信号を発生させる。
【００２０】
その内、前記ＭＣＵチップは、現時点でのフレーム周波数信号の立ち上がりを捉え、現時点でのフレーム周波数信号の周期を確定させるとともに、現時点でのフレーム周波数信号の周期に基づき、一つのリアルタイム周期制御信号を発生させる。なお、前記リアルタイム周期制御信号の周期と、現時点でのフレーム周波数信号の周期は同じである。
【００２１】
その内、前記バックライトモジュールは、さらに、重ねて設けられた反射鏡と、導光体と、光学フィルムセットと、を備え、前記バックライト及び前記導光体は、向かい合わせて設けられ、バックライトが発する光は、前記導光体内にまで送信される。
【００２２】
本発明がさらに提供する液晶表示装置は、複数の画素ユニットからなる液晶パネルと、ソース駆動装置と、ゲート駆動装置と、バックライトユニットと、タイミング制御装置と、からなる。
【００２３】
その内、前記ソース駆動装置は、前記画素ユニットにデータ信号を提供するのに用いられる。
【００２４】
その内、前記ゲート駆動装置は、前記画素ユニットに走査信号を提供するのに用いられる。
【００２５】
その内、前記バックライトユニットは、前記液晶パネルに表示バックライトを提供するのに用いられる。
【００２６】
その内、前記タイミング制御装置は、図像データを受信するとともに、前記ソース駆動装置及びゲート駆動装置を制御する制御信号を発生させるのに用いられる。前記タイミング制御装置は、さらに、フレーム周波数信号を発生させ、前記バックライトユニット内のバックライト制御ユニットに送信する。
【発明の効果】
【００２７】
本発明の実施例が提供するバックライトユニット及びその駆動方法によると、前記バックライトユニットの駆動信号と、フレーム周波数信号と、フレーム周波数信号に突然の変化が生じた時、バックライトユニットの駆動信号もそれに応じて変化が生じ、対応するフレーム画面内において、バックライトユニットがオンの時間のデューティ比と、予め設定したデューティ比が一致し、液晶パネルの表示品質を保証することができる。
【図面の簡単な説明】
【００２８】
【図１】従来の技術において、フレーム周波数信号が正常な時のバックライトユニット駆動信号の波形図である。
【図２】従来の技術において、フレーム周波数信号が異常な時のバックライトユニット駆動信号の波形図である。
【図３】本発明の実施例が提供する液晶表示装置の構造概略図である。
【図４】本発明の実施例が提供するバックライトユニットの構造概略図である。
【図５】本発明の実施例が提供するバックライトモジュールの構造概略図である。
【図６】本発明の実施例において、フレーム周波数信号が異常な時のバックライトユニット駆動信号の波形図である。
【発明を実施するための形態】
【００２９】
本発明の目的、技術考案及び長所を明らかにさせるため、以下では図を参照しながら実施例を用いて本発明について説明する。
【００３０】
図３に示すように、本実施例による液晶表示装置は、複数の画素ユニット１１を備える液晶パネル１と、ゲート駆動装置２と、ソース駆動装置３と、バックライトユニット４と、タイミング制御装置５と、からなる。
【００３１】
その内、タイミング制御装置５は、映像データを受信させるとともに、前記ソース駆動装置３及びゲート駆動装置２を制御するのに用いられる制御信号を発生させる。タイミング制御装置５は、前記ソース駆動装置３を制御し、前記画素ユニット１１にデータ信号を提供し、さらに、タイミング制御装置５は、前記ゲート駆動装置２を制御し、前記画素ユニット１１に走査信号を提供する。さらに、タイミング制御装置は、フレーム周波数信号Ｖｓｙｎｃを発生させ、バックライトユニット４に提供し、バックライトユニット４は、前記フレーム周波数信号Ｖｓｙｎｃに基づき駆動させられ、表示バックライトを生じさせ、液晶パネル１に提供することにより、液晶パネル１に映像を表示させる。
【００３２】
図４及び図５を参照する。本実施例によるバックライトユニット４は、バックライトモジュール４１と、バックライト制御ユニット４２と、バックライト駆動チップ４３と、電圧生成ユニット４４と、からなる。バックライトモジュール４１は、発光させるのに用いるバックライト４１１を備える。電圧生成ユニット４４は、前記バックライトモジュール４１に駆動電圧を提供するのに用いられる。バックライト制御ユニット４２は、フレーム周波数信号Ｖｓｙｎｃを受信するとともに、前記フレーム周波数信号Ｖｓｙｎｃに基づいて周期制御信号Ｓｔを生じさせる。なお、前記周期制御信号Ｓｔは、前記フレーム周波数信号Ｖｓｙｎｃと同じ周期である。バックライト駆動チップ４３は、前記周期制御信号Ｓｔ及び予め設定したデューティ比Ｄに基づき、一つのパルス幅調整ＰＷＭ信号を生じさせる。前記ＰＷＭ信号は、前記周期制御信号Ｓｔと同じ周期であり、且つ各一周期内において、前記ＰＷＭ信号のデューティ比はいずれもＤである。前記ＰＷＭ信号は、前記電圧生成ユニット４４が前記バックライトモジュール４１に駆動電圧Ｖｄを提供または提供停止するのを制御するのに用いられる。
【００３３】
さらに詳しく説明すると、前記バックライト制御ユニット４２は、ＭＣＵ（Ｍｉｃｒｏ Ｃｏｎｔｒｏｌｌｅｒ Ｕｎｉｔ）チップ４２１を備え、前記ＭＣＵチップ４２１によって、フレーム周波数信号Ｖｓｙｎｃを受信させるとともに、前記周期制御信号Ｓｔを生じさせる。具体的に、前記ＭＣＵチップ４２１は、現時点でのフレーム周波数信号Ｖｓｙｎｃの立ち上がりを捉え、現時点でのフレーム周波数信号Ｖｓｙｎｃの周期を確定させるとともに、現時点でのフレーム周波数信号Ｖｓｙｎｃの周期に基づき、一つのリアルタイム周期制御信号Ｓｔを生じさせる。なお、前記リアルタイム周期制御信号Ｓｔの周期と、現時点でのフレーム周波数信号Ｖｓｙｎｃの周期は同じである。
【００３４】
本実施例内で、図５で前記した前記バックライトモジュール４１は、さらに、重ねて設けられた反射鏡４１２と、導光体４１３と、光学フィルムセット４１４と、を備える。その内、前記バックライト４１１及び前記導光体４１２は、向かい合わせて設けられ、バックライト４１１が発する光は、前記導光体４１３内にまで送信される。具体的に、前記バックライト４１１は、複数のＬＥＤライトからなるＬＥＤストリップを備えることができる。
【００３５】
前記したバックライトユニット４の駆動方法は、以下の手順にそって行う。
【００３６】
まず、バックライト制御ユニット４２によって、タイミング制御装置５が送信するフレーム周波数信号Ｖｓｙｎｃを受信させ、前記フレーム周波数信号Ｖｓｙｎｃに基づき周期制御信号Ｓｔを発生させる。重要なのは、バックライト制御ユニット４２内のＭＣＵチップ４２１によって、前記フレーム周波数信号Ｖｓｙｎｃを受信させるとともに、前記周期制御信号Ｓｔを発生させることである。さらに具体的に、ＭＣＵチップ４２１は、現時点でのフレーム周波数信号Ｖｓｙｎｃの立ち上がりを捉え、現時点でのフレーム周波数信号Ｖｓｙｎｃの周期Ｔｉを確定させるとともに、現時点でのフレーム周波数信号Ｖｓｙｎｃの周期Ｔｉに基づき一つのリアルタイム周期制御信号Ｓｔを発生させる。なお、前記リアルタイム周期制御信号Ｓｔの周期はＴｍである。その内、Ｔｍ＝Ｔｉである。
【００３７】
それから、バックライト駆動チップ４３によって、前記周期制御信号Ｓｔ及び使用者が予め設定したデューティ比Ｄに基づき、一つのパルス幅調整ＰＷＭ信号を発生させる。なお、前記ＰＷＭ信号の周期はＴｎである。その内Ｔｎ＝Ｔｍである。且つ前記ＰＷＭ信号の各一周期内におけるデューティ比は、いずれもＤである。
【００３８】
最後に、前記ＰＷＭ信号によって、前記電圧生成ユニット４４が前記バックライトモジュール４１に駆動電圧を提供または提供停止させるように制御し、それにより、バックライトモジュール４１がオンの時間のデューティ比が、使用者が予め設定したデューティ比Ｄになるように制御する。
【００３９】
上記の駆動方式の内、前フレームの周波数信号Ｖｓｙｎｃの周期Ｔｉに、前のフレームの周期と比べて変化が生じた時、対応するリアルタイム周期制御信号Ｓｔの周期Ｔｍにも変化が生じ、前フレームに対応するＰＷＭ信号の周期Ｔｎにも変化が生じる。すなわち、任意の一フレームの画面において、絶えずＴｎ＝Ｔｍ＝Ｔｉを維持する。ＰＷＭ信号は、周期制御信号Ｓｔに直接同期されるため、周期制御信号Ｓｔは、やはり周波数信号Ｖｓｙｎｃの変化に応じて変化する。それゆえ、フレーム周波数信号Ｖｓｙｎｃに突然の変化が生じた時でも、ＰＷＭ信号は、バックライトモジュール４１がオンの時のデューティ比が、使用者が予め設定したデューティ比Ｄになるように制御することができる。
【００４０】
最後の具体例として、図６が示す駆動信号の波形図を参照する。フレームの周波数信号Ｖｓｙｎｃは、第１フレームＦ１の時は正常であり、その周波数は１００ Hｚであり、周期は１０ ｍｓである。第２フレームＦ２の時に変化が生じ、その周波数は１３７ Hｚであり、周期は７．３ ｍｓである。第３フレームＦ３の周波数は１１６ Hｚであり、周期は８．６ ｍｓである。第４及び５フレームＦ４及びＦ５の周波数は１３７ Hｚであり、周期は７．３ ｍｓである。第６及び７フレームＦ６及びＦ７は正常に戻り、その周波数は１００ Hｚであり、周期は１０ ｍｓである。フレーム周波数信号Ｖｓｙｎｃが第２−５フレームの時に異常が発生し、その周期Ｔｉは、それぞれ７．３ ｍｓ、８．６ ｍｓ、７．３ ｍｓ、７．３ ｍｓであり、同じく対応する周期制御信号Ｓｔの周期Ｔｍ及びＰＷＭ信号の周期Ｔｎもそれに応じて７．３ ｍｓ、８．６ ｍｓ、７．３ ｍｓ、７．３ ｍｓとなる。使用者が予め設定したデューティ比Ｄに基づき、制御バックライトモジュール４１がオンの時間、フレーム周波数信号Ｖｓｙｎｃ異常が発生したフレーム画面内で、バックライトモジュール４１のオンの時間のデューティ比は、絶えずＤを維持するようにさせる。
【００４１】
上記の点をまとめると、本発明の実施例が提供するバックライトユニット及びその駆動方法は、前記バックライトユニットの駆動信号及びフレーム周波数信号において、フレーム周波数信号に突然の変化が生じた時に、バックライトユニットの駆動信号にもそれに応じた変化を生じさせ、対応する画面内において、バックライトユニットがオンの時間のデューティ比及び予め設定したデューティ比を一致させ、液晶パネルの表示品質を保証することができる。
【００４２】
以上前記の内容は、本請求の具体的な実施方式に過ぎず、本技術領域の一般的な技術者は、本請求の原理を逸脱しないという前提のもと、若干の改良と修正を行うことができ、これらの改良と修正も本請求の保護範囲と見なす。
【符号の説明】
【００４３】
Ｖｓｙｎｃ  フレーム周波数信号    
ＰＷＭ  パルス幅調整信号
Ｆ１  第１フレーム
Ｆ２  第２フレーム
Ｆ３  第３フレーム
Ｆ４  第４フレーム
Ｆ５  第５フレーム
Ｆ６  第６フレーム
Ｆ７  第７フレーム
１  液晶パネル
２  ゲート駆動装置
３  ソース駆動装置
４  バックライトユニット
５  タイミング制御装置
１１  画素ユニット
４１  バックライトモジュール
４２  バックライト制御ユニット
４３  バックライト駆動チップ
４４  電圧生成ユニット
４１１  バックライト
４１２  反射鏡
４１３  導光体
４１４  光学フィルムセット
４２１  ＭＣＵチップ
Ｓｔ  周期制御信号
Ｖｄ  駆動電圧
Ｄ  デューティ比
【図１】
0006419334.tif 000002
【図２】
0006419334.tif 000003
【図３】
0006419334.tif 000004
【図４】
0006419334.tif 000005
【図５】
0006419334.tif 000006
【図６】
0006419334.tif 000007